(57)【要約】      （修正有）【課題】頭付ボルトをねじ込んだとき、振動等により生じる緩みを確実に、しかも簡単な作業により制止するものである。【解決手段】頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面より深くまで垂直に２本の錐孔４を穿孔しておき、頭付ボルトを上部材１３のボルト孔１４を通して、下部材１６にねじ込んだ後、この２本の錐孔を通して上部材のボルト孔の入口角部１５に向って門形釘５を打込み、その釘の両足先端の楔部角の切刃９をそこに食い込ませて、上部材に頭付ボルトを結合させて、その回転を阻止し、更に押え込み金具１０により門形釘を押圧して脱落を阻止するようにする。【選択図】図１
2018071778.tif 000002
【特許請求の範囲】
【請求項１】
頭付ボルトの緩み止めの構造において、頭付ボルト（１）の頭部上面の中央部に門形釘（５）の押え込み金具（１０）を小径ボルト（１２）により取付けておき、そしてこの押え腕（１１）を外側に廻して門形釘の打込み経路より外しておく、又頭部上面にボルトのねじ外径と同寸法の円形の罫描線を描き、この線上の１８０°相対する２ケ所の位置よりボルト頭部（２）を貫通して、その下面より深くまで垂直に２本の錐孔（４）を穿孔しておき、頭付ボルトを上部材（１３）のボルト孔（１４）を通して下部材（１６）にねじ込んだ後、この２本の錐孔を通して上部材のボルト孔の入口角部（１５）に向って門形釘（５）を打込み、その釘の両足先端の楔部角の切刃（９）をそこに喰い込ませて、上部材に頭付ボルトを結合させて、その回転を阻止する、そしてその門形釘の中央部（６）の上に押え込み金具の押え腕（１１）を戻して、小径ボルトを更にねじ込むことにより、門形釘を強く押下げて上部材に喰込ませてその脱落を阻止するようにした頭付ボルトの緩み止めの構造。
【請求項２】
特許請求の範囲の請求項１に記載した押え込み金具（１０）の代りに、拡大した鍔部径をもつ小径ボルト（１８）のボルト頭部の下面で門形釘を押し下げることにより、その脱落を阻止するようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面の中央部に門形釘５の押え込み金具１０を小径ボルト１２により取付けておき、そしてこの押え腕１１を外側に廻して門形釘の打込み経路より外しておく、又頭部上面にボルトのねじ外径と同寸法の円形の罫描線を描き、この線上の１８０°相対する２ケ所の位置よりボルト頭部２を貫通して、その下面より深くまで垂直に２本の錐孔４を穿孔しておき、頭付ボルトを上部材１３のボルト孔１４を通して下部材１６にねじ込んだ後、この２本の錐孔を通して上部材のボルト孔の入口角部１５に向って門形釘５を打込み、その釘の両足先端の楔部角の切刃９をそこに喰い込ませて、上部材に頭付ボルトを結合させて、その回転を阻止する。【０００５】  そしてその門形釘の中央部６の上に押え込み金具の押え腕１１を戻して、小径ボルトを更にねじ込むことにより、門形釘を強く押下げて上部材に喰込ませてその脱落を阻止するようにする。
【発明の効果】
【０００６】  本発明の実施により頭付ボルトを強く締め込んだ後、簡単な方法で確実な緩み止めが可能になる。
【図面の簡単な説明】
【０００７】
【図１】本発明の実施形態の一例として、頭付ボルトをねじ込んだ後、その頭部より門形釘を打込み、その門形釘を押え込み金具で押圧した状態の縦断面図
【図２】図１の平面図
【図３】図１の側面図
【図４】本発明の実施形態の一例として門形釘の正面図
【図５】図４の底面図
【図６】図４の側面図
【図７】本発明の実施形態の一例として押え込み金具及び小径ボルトの正面図
【図８】図７の平面図
【図９】図７の側面図
【図１０】本発明の実施形態の一例として拡大した鍔部径をもつ小径ボルトの正面図
【図１１】図１０の平面図
【発明を実施するための形態】
【０００８】  頭付ボルトの緩み止めの構造において、頭付ボルト１の頭部上面の中央部に門形釘５の押え込み金具１０を小径ボルト１２により取付けておき、そしてこの押え腕１１を外側に廻して門形釘の打込み経路より外しておく、又頭部上面にボルトのねじ外径と同寸法の円形の罫描線を描き、この線上の１８０°相対する２ケ所の位置よりボルト頭部２を貫通して、その下面より深くまで垂直に２本の錐孔４を穿孔しておき、頭付ボルトを上部材１３のボルト孔１４を通して下部材１６にねじ込んだ後、この２本の錐孔を通して上部材のボルト孔の入口角部１５に向って門形釘５を打込み、その釘の両足先端の楔部角の切刃９をそこに喰い込ませて、上部材に頭付ボルトを結合させて、その回転を阻止する。
【０００９】  その門形釘の中央部６の上に押え込み金具の押え腕１１を戻して、小径ボルトを更にねじ込むことにより、門形釘を強く押下げて上部材に喰込ませてその脱落を阻止するようにする。
【００１０】  猶押え込み金具用小径ボルト１２の代わりに、植込みボルトをボルト頭２にねじ込んでおき、ナットにより押え込み金具１０を押し下げることも可能である。
【００１１】  図１０、図１１及び図１２に示すように押え込み金具１０の代りに、拡大した鍔部径をもつ小径ボルト１８のボルト頭部の下面で門形釘を押し下げることにより、その脱落を阻止するようにすることができる。しかしこの時は門形釘を打込んだ後、取外しておいた小径ボルトをねじ込む必要があり、少し作業時間が伸びるおそれがある。又、小径ボルト１８の代わりに植込ボルトをボルト頭２にねじ込んでおき、拡大した鍔部径をもつナットをこれにねじ込んで門形釘を押し下げることもできる。
【符号の説明】
【００１２】  １・・・頭付ボルト                    ２・・・ボルト頭部
３・・・ボルト頭部の小ねじ孔          ４・・・頭付ボルトの錐孔
５・・・門形釘                        ６・・・門形釘の中央部
７・・・門形釘の両足                  ８・・・門形釘の両足先端の楔部
９・・・楔部角の切刃                １０・・・押え込み金具
１１・・・押え込み金具の押え腕        １２・・・押え込み金具用小径ボルト
１３・・・上部材                      １４・・・上部材のボルト孔
１５・・・ボルト孔の入口角部          １６・・・下部材
１７・・・下部材の雌ねじ              １８・・・拡大した鍔部径をもつ小径ボルト
【図１】
2018071778.tif 000003
【図２】
2018071778.tif 000004
【図３】
2018071778.tif 000005
【図４】
2018071778.tif 000006
【図５】
2018071778.tif 000007
【図６】
2018071778.tif 000008
【図７】
2018071778.tif 000009
【図８】
2018071778.tif 000010
【図９】
2018071778.tif 000011
【図１０】
2018071778.tif 000012
【図１１】
2018071778.tif 000013